(57)【要約】      （修正有）【課題】従来の釣果を維持しつつ、コスト低減を図ることができ、持ち運びや仕掛け作業を容易に行うことができるブレードを備えたルアーを提供する。【解決手段】基ワイヤと、この基ワイヤから離間して分岐した分岐ワイヤと、上記基ワイヤの軸方向に沿って取り付けられたボディーと、上記分岐ワイヤに取り付けられたブレードとを有し、上記基ワイヤと分岐ワイヤとの間に釣り糸が係止されるルアーにおいて、上記ボディーは上記基ワイヤに沿って扁平に形成され、上記ボディーの両側面部は、水流を受けることにより揺動しうる面積を有している。【選択図】図１
0003115323.tif 000002
【実用新案登録請求の範囲】
【請求項１】
基ワイヤと、この基ワイヤから離間して分岐した分岐ワイヤと、上記基ワイヤの軸方向に沿って取り付けられたボディーと、上記分岐ワイヤに取り付けられたブレードとを有し、上記基ワイヤと分岐ワイヤとの間に釣り糸が係止されるルアーにおいて、
上記ボディーは上記基ワイヤに沿って扁平に形成され、上記ボディーの両側面部は、水流を受けることにより揺動しうる面積を有していることを特徴とするルアー。
【請求項２】
上記ブレードは、金属製の平面略円盤状に形成されたスピナーブレードであって、水中に配置されて水流を受けた場合には揺動してボディーに当接しうることを特徴とする請求項１記載のルアー。
【請求項３】
上記ブレードは水中に配置されて水流を受けた場合には、前後方向において上記ボディーの側方に配置されうるように上記分岐ワイヤの先端部に揺動可能に固定されていることを特徴とする請求項１又は２記載のルアー。
【請求項４】
上記ブレードは、上記分岐ワイヤを軸として回転しうるバズブレードであることを特徴とする請求項１記載のルアー。
【請求項５】
上記ボディーの両側面部は、魚を模した形状に形成されていることを特徴とする請求項１〜４記載のルアー。
【請求項６】
上記ボディーの厚さ寸法は、上記基ワイヤの直径寸法よりもやや大きい寸法であることを特徴とする請求項１〜５記載のルアー。
【請求項７】
上記ボディーの幅寸法と上記ボディーの厚さ寸法の比率は、略５：１であることを特徴とする請求項１〜６記載のルアー。
【請求項８】
上記ボディーは、ルアー全体の長さ寸法の略半分に形成されていることを特徴とする請求項１〜７記載のルアー。
【請求項９】
上記ボディーの後端部には、釣針部が揺動可能に連結されていることを特徴とする請求項１〜８記載のルアー。
【考案の詳細な説明】
【技術分野】
【０００１】
本考案は、釣り用のルアーに係り、特に、ブレードを有したスピナーベイト型及びバズブレード型のルアーに関するものである。
【背景技術】
【０００２】
従来から、ブラックバス、サケ、マス等の対象魚に対して、独特な動きにより極めて高い釣果を発揮することができるように開発された「スピナーベイト」「バズベイト」と呼ばれる、独自の形状をしたルアーが存在する。
【０００３】
一般的なスピナーベイト型のルアーは、基ワイヤと、この基ワイヤから離間して分岐した分岐ワイヤと、上記基ワイヤに取り付けられたボディーと、上記分岐ワイヤに取り付けられたスピナーブレードとを有し、上記基ワイヤと分岐ワイヤとの間に釣り糸が係止されている。また、ボディー後端部には釣針部が設けられている。
一方、バズベイト型のルアーは、上記スピナーブレードの代わりにバズブレードと称する回転体が取り付けられている。
上記のように構成されたルアーを用いて、「リーリング」や「ロッドワーク」と呼ばれる動作を行うことにより、ブレードに水流による力を与えると、ブレードが水中で回転運動を起こし、光の反射、振動波、音、泡等、様々な動きを演出することができ、対象魚の興味を引き立てることができる。
【０００４】
また、ボディー後部側に「フラスカート」と呼ばれるラバーもしくはプラスチックを細長く切ったものが取り付けられているルアーも存在し、フラスカートが水中でユラユラ動くようにして、対象魚の興味を引き立てている。
上記のように、釣果を向上させることを目的として、「ブレード」と「ボディー」の形態に工夫を施したブレードを備えたルアーが、これまでに多数存在している。
【０００５】
工夫を施したブレードを備えたルアーの一例として、フラスカートを有し、フラスカートを装着するためのヘッド部を概略扁平状に成形し、ブレードとヘッド部が上下関係で配置されるとき、このヘッド部が水平方向に扁平な姿勢をとるようにしたものが存在する（例えば、特許文献１参照。）。
【０００６】
上記のように構成されたルアーは、ヘッド部が水平方向に扁平な姿勢をとることで、水流抵抗による大きな浮力を得ることができるため、ルアーをゆっくり遊泳させた場合でも、水面近くまで浮き易くすることができる。
この場合、水中においてヘッド部が弱った魚が横向きになって泳いでいる状態を意匠上演出することができるため、下方から食いあげる対象魚に対して効果的にアピールすることができる。
また、ヘッド部自体の重さを軽くせず、所定重量に確保しているので、遠投には何ら支障を来すことがない。
【０００７】
しかしながら、フラスカートは魚に興味を持たせる手段としては効果的であるが、フラスカートや係止部分等の部品点数が嵩み、結果的に、製造コストが上昇するという不具合がある。
また、上記のように、ヘッド部自体の重さを軽くせず、所定重量に確保していることから、ヘッド部の重量に合わせてワイヤの大きさを調整し、基ワイヤと分岐ワイヤが連結されている部位を支点とした場合にルアー全体のバランスを保つ必要があるため、全体的に寸法が大きくなる。
そのため、持ち運び時に嵩張るだけでなく、材料も多くなることから、結果的に、製作コストが嵩むこととなる。
【０００８】
【特許文献１】特開平１１−２０６２７４号公報
【考案の開示】
【考案が解決しようとする課題】
【０００９】
そこで、本考案の課題は、従来の釣果を維持しつつ、コスト低減を図ることができ、持ち運びや仕掛け作業を容易に行うことができるブレードを備えたルアーを提供することを目的とすることにある。
【課題を解決するための手段】
【００１０】
上記目的を達成するために、請求項１記載の考案は、基ワイヤと、この基ワイヤから離間して分岐した分岐ワイヤと、上記基ワイヤの軸方向に沿って取り付けられたボディーと、上記分岐ワイヤに取り付けられたブレードとを有し、上記基ワイヤと分岐ワイヤとの間に釣り糸が係止されるルアーにおいて、上記ボディーは上記基ワイヤに沿って扁平に形成され、上記ボディーの両側面部は、水流を受けることにより揺動しうる面積を有している。
【００１１】
即ち、請求項１記載の本考案に係るルアーにあっては、水流の影響を受けやすく、ルアーが水中で揺動しうるボディーを形成している。
【００１２】
また、請求項２記載の考案は、上記ブレードは、金属製の平面略円盤状に形成されたスピナーブレードであって、水中に配置されて水流を受けた場合には揺動してボディーに当接しうる。
【００１３】
即ち、請求項２記載の本考案に係るルアーにあっては、ブレードが水流を受けた場合にボディーと当接するように構成されている。
また、ブレードは金属製であることから、ボディーに当接した場合には当接音がより大きく発生する。
【００１４】
また、請求項３記載の考案は、上記ブレードは水中に配置されて水流を受けた場合には、前後方向において上記ボディーの側方に配置されうるように上記分岐ワイヤの先端部に揺動可能に固定されている。
【００１５】
即ち、請求項３記載の本考案に係るルアーにあっては、スピナーブレードが水中で揺動した場合にボディーの側方に当接するように配置されている。
【００１６】
また、請求項４記載の考案は、上記ブレードは、上記分岐ワイヤを軸として回転しうるバズブレードである。
【００１７】
また、請求項５記載の考案は、上記ボディーの両側面部は、魚を模した形状に形成されている。
【００１８】
即ち、請求項５記載の本考案に係るルアーにあっては、対象魚の興味を引き立てることができるようなボディーが形成されている。
【００１９】
また、請求項６記載の考案は、上記ボディーの厚さ寸法は、上記基ワイヤの直径寸法よりもやや大きい寸法である。
【００２０】
また、請求項７記載の考案は、上記ボディーの幅寸法と上記ボディーの厚さ寸法の比率は、略５：１である。
【００２１】
即ち、請求項６及び請求項７記載の本考案に係るルアーにあっては、従来のルアーに用いられている扁平形状のボディーよりも薄く形成され、水流の影響を受けやすいボディーが形成されている。
【００２２】
また、請求項８記載の考案は、上記ボディーは、ルアー全体の長さ寸法の略半分に形成されている。
【００２３】
即ち、請求項８記載の本考案に係るルアーにあっては、ルアーに対するボディーの占有面積が、従来のルアーに比べて大きくなるように形成されている。
【００２４】
また、請求項９記載の考案は、上記ボディーの後端部には、釣針部が揺動可能に連結されている。
【００２５】
即ち、請求項９記載の本考案に係るルアーにあっては、従来のルアーに取り付けられているフラスカートと同様に、対象魚の興味を引き立てることができるように、釣針部が水中で揺動しうるように連結されている。
【考案の効果】
【００２６】
請求項１記載の本考案に係るルアーは、ボディーが基ワイヤの軸方向に沿って固定されていることから、水中で基ワイヤの先端部から糸により引かれた場合には、糸の引きにより発生する水圧をボディーの長さ方向に沿って受けることができると共に、上記ボディーの両側面部に水流を受けることにより揺動しうる面積を有していることから、水流の影響を受けてルアーが水中で揺動しやすくなるため、対象魚に小魚だと思わせるような興味を引き立てることができる。
また、水流の影響を受けてボディーが揺動するように形成されているため、対象魚に対して、フラスカートを取り付けた場合と同程度の興味を引き立てることができる。
そのため、従来から用いられてきたフラスカートを取り付ける必要がなくなるため、これまでフラスカートの取付けに要していた部品及び工程を削減することができる。
したがって、従来の釣果を維持しつつ、コスト低減を図ることができる。
【００２７】
また、請求項２記載の本考案に係るルアーは、スピナーブレードが水流を受けることによりボディーと当接するように形成されていることから、当接音が発生し、視覚だけでなく音によっても対象魚に興味を引き立てることができる
また、スピナーブレードが平面略円盤状であるため、ブレードの端縁部がボディーに当接することにより、水中で音を発しやすいように形成されている。
さらに、スピナーブレードが金属製であることから、大きな当接音を発生でき、魚に対してアピールすることができる。
したがって、視覚的及び聴覚的に、対象魚へのアピール力を向上させることにより、釣果の向上を図ることができる。
【００２８】
また、請求項３記載の本考案に係るルアーは、ブレードがボディーの側方に配置されうるように固定されているため、ブレードがボディーの側面部に当接する頻度が増加するため、水中で音を発しやすいように形成されている。
したがって、対象魚に対し、音により興味を引き立てることができる頻度が増加するため、結果的に、ルアー近辺に対象魚が集まりやすくなり、釣果を向上させることができる。
【００２９】
また、請求項４記載の本考案に係るルアーは、バズブレードが水しぶきを上げながら回転することにより、振動音や光を発生させ、対象魚に対して興味を引き立てることができる。
したがって、視覚的及び聴覚的に、対象魚へのアピール力を向上させることにより、釣果の向上を図ることができる。
【００３０】
また、請求項５記載の本考案に係るルアーは、ボディーの両側面部が魚を模した形状であるため、対象魚に小魚だと思わせるような興味を引き立てることができる。
したがって、対象魚へのアピール力を向上させることにより、釣果の向上を図ることができる。
【００３１】
また、請求項６〜７記載の本考案に係るルアーは、ボディーが従来のルアーに用いられている扁平形状のボディーよりも薄く形成されているため、水流の影響を受けやすい形状であると共に、軽量化されたルアーを構成することができる。
そのため、水流が小さい場合であっても、ルアーが揺動して対象魚に小魚だと思わせるような興味を引き立てることができる。
したがって、水流の大小に関わらず、ルアー近辺に対象魚が集まりやすくなり、釣果の向上を図ることができる。
【００３２】
また、請求項８記載の本考案に係るルアーは、ルアーに対するボディーの占有面積が、従来のルアーに比べて大きくなるように形成されているため、上記ボディーのサイズを対象魚が好む小魚と同じ寸法とした場合に、基ワイヤ及び分岐ワイヤの長さ寸法を従来よりも小さくすることが可能である。
したがって、ルアーを小型化することができることから、従来の釣果を維持しつつ、持ち運びや仕掛け作業を容易に行うことができる。
【００３３】
また、請求項９記載の本考案に係るルアーは、釣針部が水流の影響を受けてルアーが水中で揺動するため、対象魚に対して、フラスカートを取り付けた場合と同程度の興味を引き立てることができる。
そのため、従来から用いられてきたフラスカートを取り付ける必要がなくなるため、これまでフラスカートの取付けに要していた部品及び工程を削減することができる。
したがって、従来の釣果を維持しつつ、コスト低減を図ることができる。
【考案を実施するための最良の形態】
【００３４】
以下、図面を用いて本考案を実施するための最良の形態について説明する。
本実施の形態に係るルアー１０は、図１に示すように、基ワイヤ１１と、この基ワイヤ１１から離間して分岐した分岐ワイヤ１２と、上記基ワイヤ１１の軸方向に沿って取り付けられたボディー１４と、上記分岐ワイヤ１２に取り付けられたブレード１３とを有し、上記基ワイヤ１１と分岐ワイヤ１２との間に釣り糸（図示を省略する）が係止されるルアー１０において、上記ブレード１３は、水中に配置されて水流を受けた場合には揺動してボディー１４に当接しうるように取り付けられ、上記ボディー１４は上記基ワイヤ１１に沿って扁平に形成され、上記ボディー１４の両側面部１５，１６は、水流を受けることにより揺動しうる面積を有している。
【００３５】
また、上記ブレード１３は、図１に示すように、金属製であって、平面略円盤状に形成されると共に、上記ボディー１４の両側面部１５，１６は、魚を模した形状に形成されている。
【００３６】
また、図１に示すように、上記ボディー１４の厚さ寸法Ｌ１は、上記基ワイヤ１１の直径寸法Ｌ２よりもやや大きい寸法である。
【００３７】
また、図１に示すように、上記ボディー１４の幅寸法Ｌ３と上記ボディー１４の厚さ寸法Ｌ１の比率は、略５：１である。
【００３８】
また、図１に示すように、上記ボディー１４は、ルアー１０全体の長さ寸法L５の略半分L４に形成されている。
【００３９】
また、上記ボディー１４の後端部１７には、図１に示すように、釣針部１８が揺動可能に連結されている。
【００４０】
また、上記ブレード１３は、図１に示すように、水中に配置されて水流を受けた場合には、前後方向において上記ボディー１４の側方に配置されうるように上記分岐ワイヤ１２の先端部１９に揺動可能に固定されている。
【実施例１】
【００４１】
以下、図面を用いて本考案の実施例１に係るルアー１０について説明する。
本実施例に係るルアー１０は、図１に示すように、基ワイヤ１１と、この基ワイヤ１１から離間して分岐した分岐ワイヤ１２と、上記基ワイヤ１１の軸方向に沿って取り付けられたボディー１４と、上記他の分岐ワイヤ１２に取り付けられたブレード１３とを有している。
【００４２】
上記基ワイヤ１１及び分岐ワイヤ１２は、図１に示すように、針金状に形成されている。
上記基ワイヤ１１及び分岐ワイヤ１２が連結されている部位には、図１に示すように、ワイヤを略環状に形成した連結部２１を有しており、釣り糸（図示を省略する）を上記連結部２１に掛け回して係止することができる。
上記分岐ワイヤ１２の先端部には、図１に示すように、針金を略環状に折り曲げて形成された環状係止部１９を有している。
【００４３】
上記基ワイヤ１１から上記分岐ワイヤ１２が分岐している分岐角度θは、上記ブレード１３が水中に配置されて水流を受けて揺動した場合に、ボディー１４に当接しうる角度に設定されている。
上記分岐ワイヤ１２は、上記ブレード１３が水中に配置されて水流を受けた場合に前後方向において上記ボディー１４の側方に配置されうるように、上記基ワイヤ１１から分岐して取り付けられている。
【００４４】
上記分岐ワイヤ１２に取り付けられた上記ブレード１３は、図１に示すように、スピナーブレードであって、金属製の平面略円盤状に形成されている。
また、図１に示すように、側面部が側方に湾曲してスプーン型を形成している。
上記のように、上記ブレード１３をスプーン型に形成することにより、部位によって光の反射角度が異なることとなり、多種多様の反射光を発生させることができる。
上記ブレード１３の前部には、図１に示すように、厚さ方向に貫通した挿通孔２２が設けられており、スイベル２３を介して上記基ワイヤ１１の先端部１９に連結されている。
【００４５】
上記スイベル２３は、図１に示すように、略円筒形状に形成されており、前部２３ａと後部２３ｂは上記スイベル２３の軸を中心として相対回転することができる。上記スイベル２３の長さ方向の両端部側には、図１に示すように、幅方向に貫通した挿通部２３ｃ，２３ｄが設けられている。
【００４６】
上記分岐ワイヤ１２、上記スイベル２３、上記ブレード１３は、図１に示すように、針金を略環状に折り曲げて形成された環状接続部材２４，２５を介して、鎖状に連結されている。
したがって、上記ブレード１３は、上記スイベル２３を利用して回転運動が可能である。さらに、上記環状接続部材２４，２５により鎖状に連結されていることから、上記ブレード１３は、水中において、上記分岐ワイヤ１２の先端部１９を支点として揺動運動が可能である。
【００４７】
上記基ワイヤ１１の軸方向に沿って固定された上記ボディー１４は、図１に示すように、上記基ワイヤ１１の先端部２６から軸方向外方に向かって配置されている。
材質は、硬質のプラスチック製である。
形状は、図１に示すように、小魚を模した側面略紡錘形状であり、本実施例においては、上記ボディー１４の幅寸法Ｌ３と上記ボディー１４の長さ寸法Ｌ４の比率は、略２：５に形成されている。さらに、図１に示すように、扁平に形成されており、上記ボディー１４の両側面部１５，１６は、水流を受けることにより揺動しうる面積を有している。
また、表面２７には、図１に示すように、小魚を模した模様が付され、凹凸部が形成されると共に、対象魚の興味を引き立たせることができるような、蛍光色の色彩が付されている。
両側面部の前部には、図１に示すように、擬眼２８（他方の擬眼の図示を省略する）が取り付けられている。
【００４８】
また、ルアー１０自体の揺動運動を容易に行うことができるように、上記ボディー１４は以下のように形成されている。
上記ボディー１４の厚さ寸法Ｌ１は、図１に示すように、従来の扁平形状に比べて薄くなるように形成されている。本実施例においては、上記基ワイヤ１１の直径寸法Ｌ２よりもやや大きい寸法で形成されている。また、上記ボディー１４の幅寸法Ｌ３と上記ボディー１４の厚さ寸法Ｌ１の比率は、略５：１である。
さらに、上記ルアー１０に対する上記ボディー１４の占有面積が、従来に比べて大きくなるように形成されている。本実施例においては、上記ボディー１４の長さ寸法L４は、ルアー１０全体の長さ寸法L５の略半分に形成されている。
【００４９】
上記ボディー１４の後端部１７には、図１に示すように、釣針部１８が揺動可能に連結されている。
上記釣針部１８は、３本のフック部３１により構成されている。
上記フック部３１は、釣針基部２９と、先端が尖った形状の３本の尖鋭部３０を有している。
上記釣針部１８には、３本の上記フック部３１ａ，３１ｂ，３１ｃにおける各々の釣針基部２９ａ，２９ｂ，２９ｃを束ねて溶接することにより、一本の基軸部３２が形成されている。上記尖鋭部３０は、各々所定方向に向かって形成されている。
上記基軸部３２の先端部には、幅方向に貫通孔を有した釣針連結部３３が形成されており、上記ボディー１４の後端部１７に突出して設けられると共に、幅方向に貫通孔を有した尾部連結部３４と、上記釣針連結部３３が、上記にて述べた形状と同様の環状接続部材３５を介して鎖状に連結されている。
【００５０】
なお、本実施例においては、「トリプルフック」と称される上記釣針部１８を３本のフック部３１により構成した場合を例に説明したが、本実施例に限定されず、２本のフック部３１で形成された「ダブルフック」、１本のフック部３１で形成された「シングルフック」と称されるものに適用することも可能である。
上記「ダブルフック」及び「シングルフック」を適用する場合、上記環状接続部材３５から着脱して交換することができる。
【００５１】
以下、本実施例の作用について説明する。
上記実施例に係るルアー１０は、図１に示すように、ボディー１４が基ワイヤ１１の軸方向に沿って固定されていると共に、上記ボディー１４の両側面部１５，１６に水流を受けることにより揺動しうる面積を有していることから、水流の影響を受けて上記ルアー１０が水中で揺動しやすくなるため、対象魚に小魚だと思わせるような興味を引き立てることができる。
また、ブレード１３が水流を受けることにより上記ボディー１４と当接するように形成されていることから、当接音が発生し、視覚だけでなく音によっても対象魚に興味を引き立てることができる。
したがって、視覚的及び聴覚的のいずれにおいても、対象魚に興味を引き立てることができることから、上記ルアー１０近辺に対象魚を集めやすくなり、結果的に、釣果の向上を図ることができる。
また、水流の影響を受けて上記ボディー１４が揺動するように形成されているため、対象魚に対して、フラスカートを取り付けた場合と同程度の興味を引き立てることができる。
そのため、従来から用いられてきたフラスカートを取り付ける必要がなくなるため、これまでフラスカートの取付けに要していた部品及び工程を削減することができる。
したがって、従来の釣果を維持しつつ、コスト低減を図ることができる。
【００５２】
また、上記ブレード１３が金属製であって、平面略円盤状であるため、上記ブレード１３の端縁部が上記ボディー１４に当接することにより、水中で音を発しやすいように形成されている。
さらに、上記ボディー１４の両側面部１５，１６が魚を模した形状であるため、対象魚に小魚だと思わせるような興味を引き立てることができる。
また、上記ブレード１３が金属製であることから、大きな当接音を発生でき、魚に対してアピールすることができる。
したがって、視覚的及び聴覚的に、対象魚へのアピール力を向上させることにより、釣果の向上を図ることができる。
【００５３】
また、上記ボディー１４が、従来のルアーに用いられている扁平形状のボディーよりも薄く形成されているため、水流の影響を受けやすい形状であると共に、軽量化されたルアーを構成することができる。
そのため、水流が小さい場合であっても、上記ルアー１０が揺動して対象魚に小魚だと思わせるような興味を引き立てることができる。
したがって、水流の大小に関わらず、上記ルアー１０近辺に対象魚が集まりやすくなり、釣果の向上を図ることができる。
【００５４】
また、上記ルアー１０に対する上記ボディー１４の占有面積が、従来のルアーに比べて大きくなるように形成されているため、上記ボディー１４のサイズを対象魚が好む小魚と同じ寸法とした場合に、基ワイヤ１１及び分岐ワイヤ１２の長さ寸法を従来よりも小さくすることが可能である。
したがって、ルアー１０を小型化することができることから、従来の釣果を維持しつつ、持ち運びや仕掛け作業を容易に行うことができる。
【００５５】
また、釣針部２９が水流の影響を受けて上記ルアー１０が水中で揺動するため、対象魚に対して、フラスカートを取り付けた場合と同程度の興味を引き立てることができる。
そのため、従来から用いられてきたフラスカートを取り付ける必要がなくなるため、これまでフラスカートの取付けに要していた部品及び工程を削減することができる。
したがって、従来の釣果を維持しつつ、コスト低減を図ることができる。
【００５６】
また、上記ブレード１３が上記ボディー１４の側方に配置されうるように固定されているため、上記ブレード１３が上記ボディー１４の側面部１６に当接する頻度が増加するため、水中で音を発しやすいように形成されている。
したがって、対象魚に対し、音により興味を引き立てることができる頻度が増加するため、結果的に、ルアー近辺に対象魚が集まりやすくなり、釣果を向上させることができる。
【実施例２】
【００５７】
次に、図面を用いて本考案の実施例２に係るルアー４０について説明する。
本実施例に係るルアー４０は、図２に示すように、基ワイヤ４１と、この基ワイヤ４１から離間して分岐した分岐ワイヤ４２と、上記基ワイヤ４１の軸方向に沿って取り付けられたボディー４４と、上記他の分岐ワイヤ４２に取り付けられたブレード４３とを有し、上記ボディー４４の後端部４７には、図１に示すように、釣針部４８が揺動可能に連結されている。
また、上記ブレード４３は、図２に示すように、バズブレードであって、上記分岐ワイヤ４２を軸として回転しうる状態で装着されている。
【００５８】
以下、本実施例の作用について説明する。
上記実施例に係るルアー４０は、図２に示すように、バズブレード４３が水しぶきを上げながら回転することにより、振動音や光を発生させ、対象魚に対して興味を引き立てることができる。
したがって、視覚的及び聴覚的に、対象魚へのアピール力を向上させることにより、釣果の向上を図ることができる。
【産業上の利用可能性】
【００５９】
本考案は、主にブレードを備えたルアーに適用可能である。
【図面の簡単な説明】
【００６０】
【図１】本発明に係るルアーの一実施の形態を示し、スピナーベイト型ルアーの斜視図である。
【図２】本発明に係るルアーの一実施の形態を示し、バズベイト型ルアーの斜視図である。
【符号の説明】
【００６１】
１０、４０        ルアー
１１、４１        基ワイヤ
１２、４２        分岐ワイヤ
１３、４３        ブレード
１４、４４        ボディー
１５、１６        ボディー両側面部
１７、４７        ボディー後端部
１８、４８        釣針部
１９              環状係止部（基ワイヤの先端部）
２１              連結部
２２              挿通孔
２３              スイベル
２３ａ            スイベル前部
２３ｂ            スイベル後部
２３ｃ，２３ｄ    挿通部
２４，２５，３５  環状接続部材
２６              分岐ワイヤの先端部
２７              ボディー表面
２８              擬眼
２９              釣針基部
３０              尖鋭部
３１              フック部
３２              基軸部
３３              釣針連結部
３４              尾部連結部
３５              ブレード側面部
Ｌ１              ボディーの厚さ寸法
Ｌ２              分岐ワイヤの直径寸法
Ｌ３              ボディーの幅寸法
Ｌ４              ボディーの長さ寸法
Ｌ５              ルアーの長さ寸法
θ                分岐角度
【図１】
0003115323.tif 000003
【図２】
0003115323.tif 000004